(57)【要約】【課題】異業種の投票ポイントを統合して管理する投票ポイントシステムを提供する。【解決手段】業種Ａセンタ２ａおよび業種Ｂセンタ２ｂと業種Ａ端末装置３ａおよび業種Ｂ端末装置３ｂとの間に投票ポイント管理装置１を設けて投票ポイントシステムを構成する。投票ポイント管理装置１は、業種Ａセンタ２ａ、業種Ｂセンタ２ｂ、業種Ａ端末装置３ａおよび業種Ｂ端末装置３ｂと接続される通信部１ａと、業種Ａおよび業種Ｂのポイントを統合管理するポイント管理部１ｂと、業種Ａおよび業種Ｂの会員情報を統合管理する会員管理部１ｃとを備えている。通信部１ａは、業種Ａが採用するインタフェースと業種Ｂが採用するインタフェースの通信制御方法の違い、さらには、ポイント管理部１ｂと会員管理部１ｃとの通信制御方法の違いを吸収してマージし、ポイント管理部１ｂおよび会員管理部１ｃは全業種の会員およびポイントの情報を一括管理する。【選択図】図１
2019079571.tif 000002
【特許請求の範囲】
【請求項１】
公営競技の業種ごとに設けられる業種センタと会員の操作に応じた電文を生成する端末装置とを接続する投票ポイント管理装置が、
前記端末装置から投票電文を受けると、前記投票電文のヘッダ部から送信先の前記業種センタを特定して特定された前記業種センタに前記投票電文を送信し、
前記業種センタから投票受付完了の電文を受けると当該電文を前記端末装置に送信し、
前記端末装置から前記投票電文を再度受けると、前記投票電文に含まれる業種および投票金額の情報を基に前記投票金額に応じた基本ポイントおよび会員ランクに応じた割増ポイントを付与し、
ポイント付与結果を前記端末装置に送信する、
投票ポイント管理方法。
【請求項２】
公営競技の業種ごとに設けられる業種センタと会員の操作に応じた電文を生成する端末装置とを接続する投票ポイント管理装置が、
前記端末装置からポイント還元電文を受けると、対象会員の各業種の会員番号を確認し、
前記会員番号から対象会員が保有する各業種のポイント数を照会し、得られたポイント数を前記端末装置へ送信し、
前記端末装置からポイント還元要求があると、業種ごとにあらかじめ設定された負担率に応じて業種ごとに還元するポイント数を算出し、
業種ごとに保有するポイント数に対して前記負担率に応じたポイント数の精算を行う、
投票ポイント管理方法。
【請求項３】
コンピュータに、
公営競技の業種ごとに設けられる業種センタと会員の操作に応じた電文を生成する端末装置とを接続し、
前記端末装置から投票電文を受けると、前記投票電文のヘッダ部から送信先の前記業種センタを特定して特定された前記業種センタに前記投票電文を送信し、
前記業種センタから投票受付完了の電文を受けると当該電文を前記端末装置に送信し、
前記端末装置から前記投票電文を再度受けると、前記投票電文に含まれる業種および投票金額の情報を基に前記投票金額に応じた基本ポイントおよび会員ランクに応じた割増ポイントを付与し、
ポイント付与結果を前記端末装置に送信する、
処理を実行させる投票ポイント管理プログラム。
【請求項４】
コンピュータに、
公営競技の業種ごとに設けられる業種センタと会員の操作に応じた電文を生成する端末装置とを接続し、
前記端末装置からポイント還元電文を受けると、対象会員の各業種の会員番号を確認し、
前記会員番号から対象会員が保有する各業種のポイント数を照会し、得られたポイント数を前記端末装置へ送信し、
前記端末装置からポイント還元要求があると、業種ごとにあらかじめ設定された負担率に応じて業種ごとに還元するポイント数を算出し、
業種ごとに保有するポイント数に対して前記負担率に応じたポイント数の精算を行う、
処理を実行させる投票ポイント管理プログラム。
【発明の詳細な説明】
【技術分野】
【０００１】
本発明は、異なる公営競技が別々に管理していた投票ポイントの管理を一括して管理することができる投票ポイント管理方法および投票ポイント管理プログラムに関する。
【背景技術】
【０００２】
競馬、競輪、競艇、オートレースなどの公営競技の投票券を発売したり、払い戻しをしたりする業務をコンピュータで処理するトータリゼータシステムが知られている。トータリゼータシステムでは、センタにホストコンピュータを設置し、競技場または投票券の発売所には、発券および払い戻しを行う端末装置を設置している。これら端末装置は、ワイドエリアネットワーク（ＷＡＮ：Wide Area Network）を介してホストコンピュータに接続されている。端末装置には、利用者が発券などの操作をする自動機（投票券自動発払機）、キャッシュレス端末装置（キャッシュレス式投票装置）、受付などの担当者が操作する有人機（投票券有人発払機）などがあり、それぞれローカルエリアネットワーク（ＬＡＮ：Local Area Network）によって接続されている。これらの端末装置が接続されているＬＡＮは、ＷＡＮを介してセンタに接続されている。これらのトータリゼータシステムは、公営競技の業種ごとに独立して存在している。
【０００３】
このような公営競技においても、利用者に対するサービスの一環として投票ポイントシステムが導入されるようになっている（たとえば、特許文献１参照）。投票ポイントシステムは、会員登録した利用者が投票券を購入するごとにポイントが付与され、貯めたポイントを景品などに交換できるようにしたものである。従来の投票ポイントシステムでは、場ごとに設置されるポイントサーバによってポイントサービスが提供されている。あらかじめ会員登録を行って会員カードを取得した利用者は、たとえば、端末装置で投票券の購入の際に会員カードを使用することで、投票内容などに応じた投票ポイントが付与される。
【０００４】
ポイントサーバは、会員登録、投票ポイント付与率登録、来場ポイント付与率登録、優良会員投票ポイント割増率登録、誕生日ポイント付与率登録、特定日／地区ポイント付与率登録、ポイント還元などの機能を有している（たとえば、特許文献２参照）。
【先行技術文献】
【特許文献】
【０００５】
【特許文献１】国際公開第２００４／００３８０５号公報
【特許文献２】特開２０１５−６９５９３号公報
【発明の概要】
【発明が解決しようとする課題】
【０００６】
投票ポイントシステムは、競馬、競輪、競艇、オートレースといったそれぞれの業種ごとに構築されているため、このようなサービスを受ける場合、利用者は、業種ごとに会員登録を行う必要がある。
【０００７】
また、場外発売所には、１つのビルに異業種の投票券発売所がフロアまたはエリアを変えて設置されている場合がある。この場合、業種ごとに登録した会員カードを使うことで、それぞれのポイントサービスが受けられる。しかしながら、業種ごとに異なる会員カードをそれぞれ管理しなければならないことは、それ自体、非常に煩わしく、時には、利用者が投票機会を逃すリスクがあるだけでなく、運営者においても、販売機会を逸することになる。また、獲得ポイントが少ない業種では、なかなかポイントが貯まらず、交換可能なポイントに達しないために、ポイントが使われないままになってしまうことがある。
【０００８】
また、ポイントサービスを提供する運営側にとっては、それぞれの業種で、投票ポイントの管理のために専用のポイントサーバが場ごとに必要となるため、設備投資が必要となるという問題がある。
【０００９】
１つの側面では、本発明は、異業種の投票ポイントを統合して管理する投票ポイントシステムを提供し、異なる業種を跨いでポイントサービスを受けることができるようにすることを目的とする。
【課題を解決するための手段】
【００１０】
１つの案では、公営競技の業種ごとに設けられる業種センタと会員の操作に応じた電文を生成する端末装置とを接続する投票ポイント管理装置が、端末装置から投票電文を受けると、投票電文のヘッダ部から送信先の業種センタを特定して特定された業種センタに投票電文を送信し、業種センタから投票受付完了の電文を受けると当該電文を端末装置に送信し、端末装置から投票電文を再度受けると、投票電文に含まれる業種および投票金額の情報を基に投票金額に応じた基本ポイントおよび会員ランクに応じた割増ポイントを付与し、ポイント付与結果を端末装置に送信する、投票ポイント管理方法が提供される。
【００１１】
また、１つの態様では、公営競技の業種ごとに設けられる業種センタと会員の操作に応じた電文を生成する端末装置とを接続する投票ポイント管理装置が、端末装置からポイント還元電文を受けると、対象会員の各業種の会員番号を確認し、会員番号から対象会員が保有する各業種のポイント数を照会し、得られたポイント数を端末装置へ送信し、端末装置からポイント還元要求があると、業種ごとにあらかじめ設定された負担率に応じて業種ごとに還元するポイント数を算出し、業種ごとに保有するポイント数に対して負担率に応じたポイント数の精算を行う、投票ポイント管理方法が提供される。
【００１２】
また、１つの態様では、コンピュータに、公営競技の業種ごとに設けられる業種センタと会員の操作に応じた電文を生成する端末装置とを接続し、端末装置から投票電文を受けると、投票電文のヘッダ部から送信先の業種センタを特定して特定された業種センタに投票電文を送信し、業種センタから投票受付完了の電文を受けると当該電文を端末装置に送信し、端末装置から投票電文を再度受けると、投票電文に含まれる業種および投票金額の情報を基に投票金額に応じた基本ポイントおよび会員ランクに応じた割増ポイントを付与し、ポイント付与結果を端末装置に送信する、処理を実行させる投票ポイント管理プログラムが提供される。
【００１３】
また、１つの態様では、コンピュータに、公営競技の業種ごとに設けられる業種センタと会員の操作に応じた電文を生成する端末装置とを接続し、端末装置からポイント還元電文を受けると、対象会員の各業種の会員番号を確認し、会員番号から対象会員が保有する各業種のポイント数を照会し、得られたポイント数を端末装置へ送信し、端末装置からポイント還元要求があると、業種ごとにあらかじめ設定された負担率に応じて業種ごとに還元するポイント数を算出し、業種ごとに保有するポイント数に対して負担率に応じたポイント数の精算を行う、処理を実行させる投票ポイント管理プログラムが提供される。
【発明の効果】
【００１４】
上記構成の投票ポイント管理方法および投票ポイント管理プログラムは、異業種のポイント管理を１つのポイントサーバで管理することができるという利点がある。このため、各業種は、各場にポイントサーバを設置する必要がないのでランニングコストが削減され、ポイントサービスを安価に運用することができる。また、業種ごとに必要であった会員カードを統合することができ、各業種は、会員カードを準備する必要がないため、運用コストを削減でき、利用者は、業種ごとの会員カードを持たなくてよいため、ファンサービスの向上に繋がる。
【図面の簡単な説明】
【００１５】
【図１】第１の実施の形態に係る投票ポイントシステムの構成例を示す図である。
【図２】ポイントサーバを複数のトータリゼータシステムに適用した場合の投票ポイントシステムを例示した図である。
【図３】ポイントサーバの処理機能の構成例を示す図である。
【図４】ポイントサーバのハードウェア構成例を示す図である。
【図５】各センタが端末装置と通信するときの電文の構成例を示す図であって、（Ａ）は基本的な電文の構成を示し、（Ｂ）はヘッダ部の大きさを示している。
【図６】会員管理部が管理する会員情報の例を示す図である。
【図７】ポイントサーバおよび各センタが管理する会員情報の関係を示す図である。
【図８】ポイント管理部が管理するポイントデータテーブルの一例を示す図である。
【図９】会員ランクの設定例を示す図である。
【図１０】端末装置のアイドル画面の表示例を示す図である。
【図１１】投票ポイントシステムのログイン処理の流れを示すシーケンス図である。
【図１２】ログイン後の端末装置の画面の表示例を示す図である。
【図１３】ポイントサーバのログイン処理の手順を示すフローチャートである。
【図１４】投票ポイントシステムのポイント付与処理の流れを示すシーケンス図である。
【図１５】ポイントサーバのポイント付与処理の手順を示すフローチャートである。
【図１６】投票ポイントシステムのポイント還元処理の流れを示すシーケンス図である。
【図１７】共有ポイントの還元を説明する図であって、（Ａ）は負担率、（Ｂ）は保有ポイント、（Ｃ）はポイント変化を示している。
【図１８】不足ポイントの処理を説明する図である。
【図１９】ポイントサーバのポイント還元処理の手順を示すフローチャートである。
【発明を実施するための形態】
【００１６】
以下、本発明の実施の形態について図面を参照して説明する。本発明では、各業種のセンタおよび端末装置の間に各業種のポイントサーバを統合した投票ポイント管理装置を新たに設けて投票ポイントシステムを構成している。
【００１７】
［第１の実施の形態］
図１は第１の実施の形態に係る投票ポイントシステムの構成例を示す図である。
投票ポイントシステムは、投票ポイント管理装置１と、業種Ａセンタ２ａと、業種Ｂセンタ２ｂと、業種Ａ端末装置３ａと、業種Ｂ端末装置３ｂとを備えている。投票ポイント管理装置１と、業種Ａセンタ２ａ、業種Ｂセンタ２ｂ、業種Ａ端末装置３ａおよび業種Ｂ端末装置３ｂとは、ネットワークを介して接続されている。
【００１８】
業種Ａセンタ２ａおよび業種Ｂセンタ２ｂは、それぞれ業種Ａおよび業種Ｂの運営を管理するホストコンピュータである。ここで、業種Ａおよび業種Ｂは、それぞれ公営競技の異なる２つの競技に対応する。
【００１９】
投票ポイント管理装置１は、通信部１ａと、ポイント管理部１ｂと、会員管理部１ｃとを有している。
通信部１ａは、主として、業種Ａセンタ２ａと業種Ａ端末装置３ａとの間および業種Ｂセンタ２ｂと業種Ｂ端末装置３ｂとの間の通信インタフェースや通信制御方法が違っていても、共通に扱える形に変換して中継することにある。たとえば、業種によっては、ポイント確定に必要なレース情報をセンタ側から送信してくる場合と、インターネットベースのシステムのように、端末装置からアクセスすることでレース情報を取得する場合がある。もちろん、これ以外にも、通信する電文の形式が業種ごとに異なっている。このようなインタフェースの違いは、通信部１ａで吸収されてマージされたレース情報がポイント管理部１ｂへ各業種に共通の情報として送られる。
【００２０】
ポイント管理部１ｂは、業種、場、レース、購入額に応じて利用者ごとに付与する付与率や割増などを設定したりポイント還元の処理をしたり、さらには、ポイント照会に対する応答の処理をしたりする。
【００２１】
会員管理部１ｃは、業種ごとに異なる会員情報が設定されていることに対して利用者を共通の会員情報で扱うことができるようにしている。たとえば、利用者を特定する会員番号（会員識別情報）は、業種によって桁数が異なって設定されているのが一般的であるので、それを１枚の会員カードで業種Ａおよび業種Ｂに共通に使うことができるようにする。
【００２２】
業種Ａ端末装置３ａおよび業種Ｂ端末装置３ｂは、それぞれ業種Ａおよび業種Ｂの各場に設置され、投票券の購入および的中投票券の払い戻し、会員登録の入力操作、保有ポイントの照会などを行う。
【００２３】
このような投票ポイントシステムによれば、業種Ａでは、業種Ａ端末装置３ａにて操作された会員登録、投票券購入、的中投票券の払い戻しなどについては、投票ポイント管理装置１の通信部１ａを介して業種Ａセンタ２ａと接続され、対応する処理が行われる。
【００２４】
業種Ａ端末装置３ａが投票券購入の操作をしたときには、まず、投票ポイント管理装置１の通信部１ａは、業種Ａ端末装置３ａから送信されたものであることを投票内容から識別する。次に、ログインのときに認証された会員に対してポイント管理部１ｂが購入額に応じたポイントの付与を行う。この付与されたポイントは、業種Ａセンタ２ａから取得したレース進行情報に応じて該当するレースが成立した場合に確定される。
【００２５】
業種Ａ端末装置３ａがポイント還元の操作をしたときには、会員管理部１ｃにて対象会員の業種、会員番号などを確認し、ポイント管理部１ｂにてポイント数を照会する。その通知を基に、業種Ａ端末装置３ａから還元ポイントの通知があると、ポイント管理部１ｂは、ポイント還元の処理をする。このとき、ポイント管理部１ｂは、業種Ａおよび業種Ｂに割り当てられたポイント割合に応じて業種Ａおよび業種Ｂからポイント割合に応じたポイント数が消費される。ポイント管理部１ｂは、また、業種Ａ端末装置３ａからの要求によりポイントの収支を帳票にまとめて出力し、業種Ａ端末装置３ａの側で印刷することができる。
【００２６】
以上の業種Ａの動作は、業種Ｂセンタ２ｂと業種Ｂ端末装置３ｂとの間で確立される通信においても、同様である。
このように、異業種のポイント管理を１つのポイントサーバで管理することができる。このため、各業種は、各場にポイントサーバを設置する必要がないのでランニングコストが削減され、ポイントサービスを安価に運用することができる。また、業種ごとに必要であった会員カードを統合することができ、各業種は、会員カードを準備する必要がないため、運用コストを削減でき、利用者は、業種ごとの会員カードを持たなくてよいため、ファンサービスの向上に繋がる。
【００２７】
［第２の実施の形態］
図２はポイントサーバを複数のトータリゼータシステムに適用した場合の投票ポイントシステムを例示した図、図３はポイントサーバの処理機能の構成例を示す図、図４はポイントサーバのハードウェア構成例を示す図である。
【００２８】
投票ポイントシステムは、中央競馬センタ１０およびその端末装置群１１と、地方競馬センタ２０およびその端末装置群２１と、競艇センタ３０およびその端末装置群３１と、競輪センタ４０およびその端末装置群４１と、オートセンタ５０およびその端末装置群５１と、ポイントサーバ６０とを備えている。中央競馬センタ１０、端末装置群１１、地方競馬センタ２０、端末装置群２１、競艇センタ３０、端末装置群３１、競輪センタ４０、端末装置群４１、オートセンタ５０、端末装置群５１およびポイントサーバ６０は、ネットワーク７０によって接続されている。ポイントサーバ６０は、好ましくは、クラウドコンピューティングサービスの形態で提供される。
【００２９】
端末装置群１１，２１，３１，４１，５１は、投票券の発売所ごとに設置されている。図示の例では、発売所３２には、キャッシュレス端末装置（キャッシュレス式投票装置）３３と、自動機（投票券自動発払機）３４と、有人機（投票券有人発払機）３５と、ポイントサーバ操作パソコン３６とを有し、ＬＡＮ３７によって接続されている。なお、以下の説明では、特に断らない限り、端末装置群１１，２１，３１，４１，５１のキャッシュレス端末装置３３、自動機３４、有人機３５およびポイントサーバ操作パソコン３６を代表して単に端末装置と言うことがある。また、キャッシュレス端末装置３３および自動機３４は、ここでは１台ずつしか示していないが通常は複数台備えられている。有人機３５およびポイントサーバ操作パソコン３６は、たとえば受付担当者が操作するよう発売所３２の受付に設置されている。
【００３０】
キャッシュレス端末装置３３は、入金精算機にてあらかじめ入金した会員カードを用いることで、現金を使用せずに迅速に投票券を発売することができる端末装置である。この会員カードの情報は、ポイントサーバ６０を中継するときに、会員データの処理に用いられ、キャッシュレス端末装置３３に挿入された投票カードの情報は、ポイントサーバ６０にてポイントデータの処理に用いられる。自動機３４は、投票カード挿入口、紙幣出入口、硬貨出入口、投票券排出口、的中券挿入口および操作画面を有し、投票券の発売および的中券の払い戻しなどを行う端末装置である。有人機３５は、自動機３４と同様の機能を有し、担当者による操作を前提とした端末装置である。ポイントサーバ操作パソコン３６は、ポイントサーバ６０に対してポイントサービスに関連する各種設定、登録、照会などを行う端末装置である。
【００３１】
ポイントサーバ６０の処理機能は、図３に示される。ポイントサーバ６０は、通信部６１を備え、この通信部６１は、センタ通信処理部６１ａ、端末通信処理部６１ｂおよび運用情報格納部６１ｃを有している。運用情報格納部６１ｃは、センタ通信処理部６１ａと端末通信処理部６１ｂとの間に接続されている。
【００３２】
センタ通信処理部６１ａは、中央競馬センタ１０、地方競馬センタ２０、競艇センタ３０、競輪センタ４０およびオートセンタ５０と接続され、それぞれ異なるインタフェースの通信制御方法をマージしたり、通信制御方法の振り分けをしたりする機能を有する。各センタと端末装置との間で行われるインタフェースの通信制御方法としては、ＴＣＰ／ＵＤＰ（Transmission Control Protocol / User Datagram Protocol）、ＨＴＴＰ（Hypertext Transfer Protocol）などがある。センタ通信処理部６１ａが各センタから取得した運用情報は、運用情報格納部６１ｃを介して端末通信処理部６１ｂに伝えられ、この端末通信処理部６１ｂから各センタに対応する端末装置群１１，２１，３１，４１，５１に伝えられる。端末通信処理部６１ｂは、端末装置群１１，２１，３１，４１，５１に対してそれぞれセンタとのインタフェースの通信制御方法で接続される。端末通信処理部６１ｂは、端末装置群１１，２１，３１，４１，５１の中の端末装置から投票券購入の電文を受けると、その電文を運用情報格納部６１ｃおよびセンタ通信処理部６１ａを介して対応するセンタに通知される。
【００３３】
ポイントサーバ６０は、また、ポイント管理部６２および会員管理部６３を備えている。ポイント管理部６２は、資金制御部６２ａおよびポイントデータベース（ＤＢ）６２ｂを有し、資金制御部６２ａは、ポイントＤＢ６２ｂに接続され、このポイントＤＢ６２ｂには、ポイントデータテーブル６２ｃが格納されている。会員管理部６３は、会員制御部６３ａおよび会員ＤＢ６３ｂを有し、会員制御部６３ａは、会員ＤＢ６３ｂに接続され、この会員ＤＢ６３ｂには、会員番号テーブル６３ｃが格納されている。
【００３４】
ポイント管理部６２は、通信部６１のセンタ通信処理部６１ａおよび会員管理部６３に接続され、会員管理部６３は、通信部６１の端末通信処理部６１ｂに接続され、資金制御部６２ａは、端末通信処理部６１ｂに接続されている。これにより、ポイント管理部６２および会員管理部６３は、センタと端末装置との間で交わされる電文をモニタすることができ、中継する電文に投票ポイントに関する電文を検出したときは会員認証およびポイントの管理処理を行うことができる。
【００３５】
このポイントサーバ６０の処理機能は、図４に示したハードウェアを有するコンピュータによって実現される。このコンピュータ１００は、ＣＰＵ（Central Processing Unit）１０１によって装置全体が制御されている。ＣＰＵ１０１には、バス１０９を介してＲＡＭ（Random Access Memory）１０２と複数の周辺機器が接続されている。
【００３６】
ＲＡＭ１０２は、コンピュータ１００の主記憶装置として使用される。ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。
【００３７】
バス１０９に接続されている周辺機器としては、ハードディスクドライブ（ＨＤＤ：Hard Disk Drive）１０３、グラフィック処理装置１０４、入力インタフェース１０５、光学ドライブ装置１０６、機器接続インタフェース１０７および通信インタフェース１０８がある。
【００３８】
ＨＤＤ１０３は、内蔵したディスクに対して、磁気的にデータの書き込みおよび読み出しを行う。ＨＤＤ１０３は、コンピュータ１００の二次記憶装置として使用される。ＨＤＤ１０３には、ＯＳのプログラム、アプリケーションプログラムおよび各種データが格納される。なお、二次記憶装置としては、フラッシュメモリなどの半導体記憶装置を使用することもできる。
【００３９】
グラフィック処理装置１０４には、モニタ１１０が接続されている。グラフィック処理装置１０４は、ＣＰＵ１０１からの命令に従って、画像をモニタ１１０の画面に表示させる。
【００４０】
入力インタフェース１０５には、キーボード１１１とマウス１１２とが接続されている。入力インタフェース１０５は、キーボード１１１やマウス１１２から送られてくる信号をＣＰＵ１０１に送信する。
【００４１】
光学ドライブ装置１０６は、レーザ光などを利用して、光ディスク１１３に記録されたデータの読み取りを行う。光ディスク１１３は、光の反射によって読み取り可能なようにデータが記録された可搬型の記録媒体である。
【００４２】
機器接続インタフェース１０７は、メモリ装置１１４に記憶されたデータの読み取りまたは書き込みを行う。機器接続インタフェース１０７には、また、メモリリーダライタ１１５が接続されている。メモリリーダライタ１１５は、メモリカード１１６に記憶されたデータの読み取りまたは書き込みを行う。
【００４３】
通信インタフェース１０８は、ネットワーク７０に接続されている。通信インタフェース１０８は、ネットワーク７０を介して、他のコンピュータまたは通信機器との間でデータの送受信を行う。
【００４４】
以上のようなハードウェア構成によって、ポイントサーバ６０の処理機能を実現することができる。なお、図４には、ポイントサーバ６０のハードウェア構成を示したが、各センタのホストコンピュータ、端末装置のハードウェア構成も同様である。また、ここでは、ポイントサーバ６０の処理機能を１のコンピュータ１００で実現する場合を例示したが、通信部６１、ポイント管理部６２および会員管理部６３の各処理機能を１または複数のコンピュータで実現させ、分散処理の構成を採ることもできる。
【００４５】
次に、ポイントサーバ６０の処理機能の具体例について説明する。
図５は各センタが端末装置と通信するときの電文の構成例を示す図であって、図５（Ａ）は基本的な電文の構成を示し、図５（Ｂ）はヘッダ部の大きさを示している。
【００４６】
電文１２０は、ヘッダ部１２０ａとデータ部１２０ｂとを有する。ヘッダ部１２０ａのサイズは業種ごとに異なる。図５の例では、競馬では３０バイト、競艇では２８バイト、競輪では３２バイト、オートでは１８バイトになっている。
【００４７】
このため、通信部６１のセンタ通信処理部６１ａおよび端末通信処理部６１ｂは、電文を解析することにより、対象業務を特定し、通信元および通信先のセンタおよび端末装置を決定することができる。たとえば、端末通信処理部６１ｂが受信した電文１２０のヘッダ部１２０ａのサイズが２８バイトであれば、競艇が対象業種であり、競艇センタ３０が送信先になる。
【００４８】
図６は会員管理部が管理する会員情報の例を示す図、図７はポイントサーバおよび各センタが管理する会員情報の関係を示す図である。
図６に示したように、利用者に付与される会員番号には、ポイントサーバ６０が付与し統合管理する共通会員番号と各公営競技が付与する会員番号とがあり、ポイントサーバ６０は、共通会員番号と、各公営競技の会員番号とを対応付けて、統合管理する。なお、本内容では、公営競技が付与する会員番号があるが、ポイントサーバ６０側で付与するようにしてもよい。公営競技の会員番号は、それぞれ桁数が違っていて、たとえば、競馬では１６桁、競艇では９桁、競輪では１２桁、オートでは１０桁である。また、ポイントサーバ６０が管理する共通会員番号としては、最も桁数が大きな競馬の会員番号の桁数よりも大きくして、たとえば２０桁にしている。
【００４９】
この会員番号は、会員管理部６３において管理される。会員管理部６３では、会員制御部６３ａが会員ＤＢ６３ｂに格納した会員番号テーブル６３ｃで管理する。会員番号テーブル６３ｃは、図７に示した会員テーブル１３１および会員番号テーブル１３２を有している。
【００５０】
会員テーブル１３１は、利用者がポイントサーバ６０に会員登録を行った際に生成される。会員テーブル１３１には、会員登録を行った利用者の氏名、住所、年齢などの情報に加え、ポイントサーバ６０が付与する共通会員番号が登録される。
【００５１】
会員番号テーブル１３２には、図６に示したように、利用者の共通会員番号に対応付けて、競馬会員番号、競艇会員番号、競輪会員番号、オート会員番号などが登録される。公営競技ごとに付与された会員番号は、たとえば、利用者がポイントサーバ６０に会員登録を行った際に登録される。
【００５２】
競馬会員番号テーブル１３３は、中央競馬センタ１０および地方競馬センタ２０が保有する。競馬会員番号テーブル１３３には、競馬会員番号、会員ランク、ポイントなどの情報が登録される。競馬会員番号は、利用者が中央競馬センタ１０または地方競馬センタ２０に会員登録を行った際、中央競馬センタ１０または地方競馬センタ２０が利用者に付与される。会員ランクは、たとえば、利用者が競馬レースに投票した投票金額に応じて中央競馬センタ１０または地方競馬センタ２０が設定する。ランクに応じて投票金額に対する投票ポイントの付与率が変わり、ランクが高くなるほど投票ポイントの付与率が高くなる。ポイントは、利用者が競馬において保有するポイント数である。競艇会員番号テーブル１３４は、競艇センタ３０が保有し、競艇会員番号、会員ランク、ポイントなどの情報が登録されている。競輪会員番号テーブル１３５は、競輪センタ４０が保有し、競輪会員番号、会員ランク、ポイントなどの情報が登録されている。オート会員番号テーブル１３６は、オートセンタ５０が保有し、オート会員番号、会員ランク、ポイントなどの情報が登録されている。
【００５３】
会員制御部６３ａは、会員番号テーブル６３ｃを有することにより、たとえば、利用者が会員カードで端末装置により受け付けを行ったときに、その利用者のすべての業種における会員の取得が可能になる。すなわち、この投票ポイントシステムへのログイン後、会員制御部６３ａは、会員カードが持つ共通会員番号をキーにして会員番号テーブル１３２を検索することで、その会員が登録しているすべての業種の会員番号を取得することができる。
【００５４】
図８はポイント管理部が管理するポイントデータテーブルの一例を示す図であり、図９は会員ランクの設定例を示す図である。
会員が保有するポイントの情報は、ポイントＤＢ６２ｂにポイントデータテーブル６２ｃとして格納され、資金制御部６２ａによって制御される。ポイントデータテーブル６２ｃによれば、投票金額に対する業種ごとの獲得ポイントおよび合計ポイントについて、投票により取得した基本ポイント、割増ポイントおよび合計ポイントが記憶されている。ここで、各会員には、利用実績に応じて会員ランクが設定されている。図示の例では、会員Ａの会員ランクは、ゴールド会員に設定され、会員Ｂの会員ランクは、シルバー会員に設定され、会員Ｃの会員ランクは、ノーマル会員に設定されている。
【００５５】
この会員ランクは、ゴールド会員、シルバー会員およびノーマル会員があり、図９の例では、たとえば１００円の投票券を購入したときには、基本ポイントとして、一律に１ポイント（Ｐｔ）が付与される。この基本ポイントに対して、ゴールド会員には、割増の割合が２倍に設定され、シルバー会員には、割増の割合が１倍に設定され、ノーマル会員には、割増の割合が０倍に設定されている。したがって、ゴールド会員では、基本ポイントが１Ｐｔに対し割増ポイントの２Ｐｔを含めて、合計３Ｐｔが付与され、シルバー会員では、基本ポイントと割増ポイントを含めて合計２Ｐｔが付与され、ノーマル会員では、基本ポイントの１Ｐｔのみが付与される。
【００５６】
なお、この実施の形態では、図９に示した会員ランクの設定は、すべての業種に共通に設定されるようにしたが、基本ポイントおよび割増ポイントを業種ごとに設定するようにしてもよい。この会員ランクに応じた基本ポイントおよび割増ポイントの設定は、それぞれの業種の端末装置群１１，２１，３１，４１，５１のポイントサーバ操作パソコン３６により行われる。また、会員ランクの設定は、レース日ごと、レースごと、場ごとなどに行うようにすることもできる。
【００５７】
次に、端末装置群１１，２１，３１，４１，５１の端末装置を使って投票ポイントシステムにログインするときの動作について説明する。
図１０は端末装置のアイドル画面の表示例を示す図、図１１は投票ポイントシステムのログイン処理の流れを示すシーケンス図、図１２はログイン後の端末装置の画面の表示例を示す図、図１３はポイントサーバのログイン処理の手順を示すフローチャートである。
【００５８】
利用者がポイントサーバにログインする前では、たとえば、キャッシュレス端末装置３３のような端末装置は、図１０に示したようなアイドル画面１４０を表示している。このアイドル画面１４０は、その上部の表示領域１４０ａにファンヘの案内メッセージ「会員カードをタッチしてログインして下さい。」を表示している。表示領域１４０ａの下には、投票券を発売している業種を表示する表示領域１４０ｂと、発売場を表示する複数の表示領域１４０ｃと、発売中レースかどうかなどの状況を表示する複数の表示領域１４０ｄとが業種ごとに表示されている。
【００５９】
ここで、投票ポイントシステムとしては、たとえば、利用者が会員カードを非接触型の会員カードリーダにかざすと、まず、端末装置は、図１１に示したように、ポイントサーバ６０の端末通信処理部６１ｂと接続し、ログイン要求の電文を送信して通信を開始する（２０１）。次に、端末通信処理部６１ｂは、受けたログイン要求の電文を会員管理部６３に送り、会員制御部６３ａは、ログイン要求に含まれる会員番号と会員番号テーブル６３ｃに登録される会員番号とを照合する（２０２）。次に、会員制御部６３ａは、照合結果を端末通信処理部６１ｂに通知し（２０３）、端末通信処理部６１ｂは、通知された照合結果を端末装置へ通知する（２０４）。
【００６０】
ここで、会員認証に成功すると、端末装置は、端末通信処理部６１ｂにポイント照会電文を通知する（２０５）。次に、端末通信処理部６１ｂは、受けたポイント照会電文をポイント管理部６２に送り、資金制御部６２ａは、ポイントＤＢ６２ｂのポイントデータテーブル６２ｃに登録されている、当該会員が保有するポイント数を照会する（２０６）。資金制御部６２ａは、照会のあったポイント数を端末通信処理部６１ｂに通知し（２０７）、端末通信処理部６１ｂは、ポイント数を端末装置へ通知する（２０８）。
【００６１】
端末装置は、端末通信処理部６１ｂからポイント数の通知があると、画面は、図１２に示す投票操作画面１５０に遷移する。この投票操作画面１５０は、その上部に表示領域１５０ａを有し、ファンヘの案内メッセージ「投票カードを入れて下さい。」を表示している。表示領域１５０ａの下には、投票カードを端末装置のマークカード挿入口に挿入したときに読み込まれた情報、その情報に基づき算出された情報、照会したポイント数の情報などが表示される領域を有している。すなわち、投票操作画面１５０には、購入業種表示領域１５０ｂ、購入場表示領域１５０ｃ、購入レース表示領域１５０ｄ、ポイント数表示領域１５０ｅ、購入金額表示領域１５０ｆ、口座残高表示領域１５０ｇ、投票内容印字領域１５０ｈおよび履歴照会ボタン１５０ｉを有している。購入業種表示領域１５０ｂには、投票カードに指定された購入業種が表示され、購入場表示領域１５０ｃには、投票カードに指定された購入場が表示され、購入レース表示領域１５０ｄには、投票カードに指定された購入レースが表示される。ポイント数表示領域１５０ｅには、照会したポイント数が表示され、購入金額表示領域１５０ｆには、投票券を購入した金額が表示され、口座残高表示領域１５０ｇには、あらかじめ入金しておいた資金の残高が表示される。投票内容印字領域１５０ｈには、投票した内容を印字するときのイメージ情報が表示される。履歴照会ボタン１５０ｉは、投票履歴を照会するときに使用されるボタンである。
【００６２】
次に、ポイントサーバ６０のログイン処理の手順について、図１３を参照しながら説明する。このログイン処理は、端末装置からログイン要求の電文を受信して開始される。
［ステップＳ０１］通信部６１の端末通信処理部６１ｂは、端末装置から受信したログイン要求の電文から利用者の会員番号を取得する。
【００６３】
［ステップＳ０２］会員管理部６３の会員制御部６３ａは、取得した会員番号と会員番号テーブル６３ｃとを照合する。
［ステップＳ０３］会員制御部６３ａは、会員番号テーブル６３ｃに会員番号に一致する会員番号が登録されているか否かを判定する。会員制御部６３ａは、登録ありであるときは、処理をステップＳ０４に進める。登録なしであるときは、処理をステップＳ０８に進める。
【００６４】
［ステップＳ０４］会員制御部６３ａは、端末通信処理部６１ｂを介して端末装置にログイン可を送信する。
［ステップＳ０５］端末通信処理部６１ｂは、端末装置からポイント照会の電文を受信したか否かを判定する。端末通信処理部６１ｂは、ポイント照会の電文を受信したときは、処理をステップＳ０６に進める。ポイント照会の電文を受信していないときは、受信を待つ。
【００６５】
［ステップＳ０６］ポイント管理部６２の資金制御部６２ａは、会員番号に対応する会員のポイント情報をポイントＤＢ６２ｂのポイントデータテーブル６２ｃから読み出す。
［ステップＳ０７］資金制御部６２ａは、読み出した会員のポイント情報を端末通信処理部６１ｂを介して端末装置に送信し、処理を終了する。
【００６６】
［ステップＳ０８］会員制御部６３ａは、端末通信処理部６１ｂを介してログイン不可を端末装置に送信し、処理を終了する。
次に、投票ポイントシステムおよびポイントサーバ６０のポイント付与処理について説明する。
【００６７】
図１４は投票ポイントシステムのポイント付与処理の流れを示すシーケンス図、図１５はポイントサーバのポイント付与処理の手順を示すフローチャートである。
利用者がキャッシュレス端末装置３３のような端末装置に投票カードを挿入すると、端末装置は、図１４に示したように、対応する業種（図示の例では、中央競馬）のセンタとのインタフェースでポイントサーバ６０の端末通信処理部６１ｂと接続し、投票電文を送信する（２１１）。次に、端末通信処理部６１ｂは投票電文をセンタ通信処理部６１ａに送信し、センタ通信処理部６１ａでは、投票電文のヘッダ部から送信先業種を決定する（２１２）。次に、センタ通信処理部６１ａは、決定された業種へ投票内容をその業種センタのインタフェースの形に変更して送信する（２１３）。業種センタでは、投票の受け付け完了を示す投票ＯＫをセンタ通信処理部６１ａに送信し（２１４）、投票ＯＫを受けたセンタ通信処理部６１ａは、投票ＯＫを端末通信処理部６１ｂに送信する（２１５）。次に、端末通信処理部６１ｂは、投票ＯＫを端末装置に送信する（２１６）。
【００６８】
投票ＯＫを受けた端末装置は、今度は、ポイント処理用のインタフェースでポイントサーバ６０の端末通信処理部６１ｂと接続し、センタに送信した投票電文と同じ投票電文を送信する（２１７）。次に、端末通信処理部６１ｂは、ポイント管理部６２に投票電文に含まれる業種、投票金額を送り、ポイント管理部６２は、投票金額に応じた基本ポイントおよび会員ランクに応じた割増ポイントを一時格納する（２１８）。次に、ポイント管理部６２は、ポイント一時格納結果を端末通信処理部６１ｂへ送信し（２１９）、端末通信処理部６１ｂは、そのポイント一時格納結果を端末装置に送信する（２２０）。端末装置は、そのポイント一時格納結果を受けて、投票内容を印字して出力する。なお、ポイント管理部６２において一時格納された基本ポイントおよび割増ポイントは、このとき即時には反映されない。すなわち、ポイント管理部６２は、センタから投票したレースの結果を取得する処理をしていて、確定したレース結果を取得していたときに、ポイントＤＢ６２ｂのポイントデータテーブル６２ｃに一時格納されていたポイントを反映する。または、ポイント管理部６２は、すべてのレースが終了したことを確認した後に、すべての会員のポイント反映を一括して行うようにしてもよい。
【００６９】
次に、ポイントサーバ６０のポイント付与処理の手順について、図１５を参照しながら説明する。このポイント付与処理は、端末装置から投票電文を受信して開始される。
［ステップＳ１１］通信部６１は、端末装置から受信した投票電文のヘッダ部の大きさをチェックし、送信先のセンタを決定する。
【００７０】
［ステップＳ１２］通信部６１は、決定したセンタに投票電文を送信する。
［ステップＳ１３］通信部６１は、センタから投票結果を受けると、その投票結果を端末装置に通知する。
【００７１】
［ステップＳ１４］通信部６１は、端末装置から再度投票電文を取得する。
［ステップＳ１５］ポイント管理部６２は、センタからの投票結果がＯＫかどうかを判断する。ポイント管理部６２は、投票ＯＫなら、処理をステップＳ１６に進め、投票ＯＫでなければ、この処理を終了する。
【００７２】
［ステップＳ１６］ポイント管理部６２は、投票電文から業種および投票金額を取得する。
［ステップＳ１７］ポイント管理部６２は、投票金額および会員ランクに応じて付与されるポイントを決定する。
【００７３】
［ステップＳ１８］通信部６１は、端末装置に付与ポイントを通知し、このポイント付与処理を終了する。その後、レース結果が確定した後に、ポイント管理部６２によるポイントの反映が実施される。
【００７４】
次に、投票ポイントシステムおよびポイントサーバ６０のポイント還元処理について説明する。
図１６は投票ポイントシステムのポイント還元処理の流れを示すシーケンス図、図１７は共有ポイントの還元を説明する図であって、図１７（Ａ）は負担率、図１７（Ｂ）は保有ポイント、図１７（Ｃ）はポイント変化を示し、図１８は不足ポイントの処理を説明する図、図１９はポイントサーバのポイント還元処理の手順を示すフローチャートである。
【００７５】
利用者によるポイント交換の要請を受けて受付担当者がポイントサーバ操作パソコン３６のような端末装置を操作してポイント還元処理が開始されると、端末装置は、ポイントサーバ６０にポイント還元電文を送信する。端末装置は、図１６に示したように、ポイント処理用のインタフェースでポイントサーバ６０の端末通信処理部６１ｂと接続し、対象会員のポイント数を照会する（２３１）。次に、端末通信処理部６１ｂは、会員管理部６３に対象会員の各業種の会員番号を確認する（２３２）。会員管理部６３は、各業種確認番号を端末通信処理部６１ｂに送信する（２３３）。端末通信処理部６１ｂは、ポイント管理部６２に各業種のポイント数を照会する（２３４）。ポイント管理部６２は、端末通信処理部６１ｂに各業種のポイント数を送信する（２３５）。端末通信処理部６１ｂは、端末装置に各業種ポイント数を送信する（２３６）。端末装置に送信された各業種のポイント数は、端末装置の画面に対象会員の保有ポイントが表示される。
【００７６】
端末装置の画面で対象会員の保有ポイントが確認された後、端末装置は、端末通信処理部６１ｂにポイント還元を要求する（２３７）。端末通信処理部６１ｂは、ポイント管理部６２にポイント還元の要求を通知する（２３８）。ポイント管理部６２は、各業種にあらかじめ割り当てられている負担率に応じたポイント数を決定し、保有ポイントの精算をして、端末通信処理部６１ｂに通知する（２３９）。端末通信処理部６１ｂは、負担率に応じたポイント数などの情報を端末装置に通知する（２４０）。端末装置は、ポイントサーバ６０から通知された情報を画面に表示するとともに、端末装置に接続されたプリンタにより、交換商品、交換商品の個数、商品の交換に使用されたポイント数、残りの保有ポイント数などの明細を印刷出力する。
【００７７】
ここで、ポイント管理部６２が管理している各業種の負担率について説明する。負担率は、図１７（Ａ）に示したように、各業種にあらかじめ割り当てられており、図示の例では、競馬、競艇、競輪、オートの順に４０％、３０％、２０％、１０％となっている。この負担率の情報は、図示はしないが、ポイントＤＢ６２ｂに格納され、資金制御部６２ａによって管理されており、その設定要求は、たとえばポイントサーバ操作パソコン３６のような端末装置から行われる。
【００７８】
ここで、たとえば、会員Ａが、図１７（Ｂ）に示したように、合計で１００００Ｐｔ保有していて、その中から１０００Ｐｔをポイント交換に使用したとする。この場合、図１７（Ｃ）に示したように、競馬、競艇、競輪およびオートレースに割り当てられた負担率からポイント交換に使用されるポイントは、４００、３００、２００および１００Ｐｔとなる。これにより、会員Ａの保有ポイントが、競馬、競艇、競輪およびオートレースにおいて、４０００、３０００、２０００および１０００Ｐｔとすると、保有ポイントの残りは、それぞれ３６００、２７００、１８００および９００Ｐｔとなる。ポイントデータテーブル６２ｃの会員Ａのデータは、上記の残りポイントによって業種ごとに更新される。
【００７９】
次に、業種の中には保有ポイント数が負担率のポイント数に達しない場合のポイント管理部６２の制御動作について説明する。このような場合を想定し、ポイントデータテーブル６２ｃでは、図１８に示したように、付与ポイントをポイントが付与された日時のデータとともに格納しておく。業種の中に負担率のポイント数に達しない業種があれば、その業種を除く他の業種の中で最も古いポイントを不足ポイントに充当するようにする。
【００８０】
たとえば、会員Ａの保有ポイントにおいて、競馬以外の業種の中にポイント交換に使用すべき保有ポイントが２００Ｐｔ不足する業種があったとする。この場合、２００Ｐｔ不足した業種以外の業種で、付与ポイントの獲得日時の古いデータがある業種、図１８の例では競馬であるとする。このような場合、競馬には、上記の例では、負担率のポイント数が元々４００Ｐｔあるので、ポイント交換に使用されるポイントがさらに２００Ｐｔ追加されて合計６００Ｐｔになる。この場合、古い付与ポイントの中から６００Ｐｔを使用するが、図示の例では、最も古い２５０Ｐｔの全部と、次に古い１７５０Ｐｔからの残りの３５０Ｐｔを使用することになる。このような場合、残りポイントが「０」となったデータは削除し、一部のポイントが使われたデータは、付与ポイント（１７５０Ｐｔ）を残りポイント（１４００Ｐｔ）で更新するとよい。
【００８１】
次に、ポイントサーバ６０のポイント還元処理の手順について、図１９を参照しながら説明する。このポイント還元処理は、ポイントサーバ操作パソコン３６のような端末装置から対象会員のポイント照会電文を受信して開始される。
【００８２】
［ステップＳ２１］会員管理部６３は、対象会員の全業種の会員番号を確認する。
［ステップＳ２２］ポイント管理部６２は、対象会員の会員番号を基に取得した保有ポイントを端末装置に通知する。
【００８３】
［ステップＳ２３］ポイント管理部６２は、端末装置からポイント還元を実施する通知があるかどうかを判断する。ポイント還元を実施する通知がある場合、ポイント管理部６２は、処理をステップＳ２４に進め、保有ポイントが少ないなどの理由により、ポイント還元の実施を中止する通知がある場合には、このポイント還元処理を終了する。
【００８４】
［ステップＳ２４］ポイント管理部６２は、端末装置から通知された使用ポイントとあらかじめ設定されている業種ごとのポイント負担率とから業種ごとの使用ポイント数をそれぞれ算出する。
【００８５】
［ステップＳ２５］ポイント管理部６２は、業種の中に負担率から算出された使用ポイント数に満たないポイント不足が発生しているかどうかを判断する。ポイント不足が発生している業種が存在する場合、ポイント管理部６２は、処理をステップＳ２６に進め、ポイント不足の業種が存在しない場合、処理をステップＳ２７に進める。
【００８６】
［ステップＳ２６］ポイント管理部６２は、ポイント不足の業種以外の業種の中から日時の古いポイントを不足分に充当する。
［ステップＳ２７］ポイント管理部６２は、ポイント精算およびポイントデータの更新をし、ポイント還元処理の終了を端末装置に通知する。
【００８７】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００８８】
１  投票ポイント管理装置
１ａ  通信部
１ｂ  ポイント管理部
１ｃ  会員管理部
２ａ  業種Ａセンタ
２ｂ  業種Ｂセンタ
３ａ  業種Ａ端末装置
３ｂ  業種Ｂ端末装置
１０  中央競馬センタ
１１  端末装置群
２０  地方競馬センタ
２１  端末装置群
３０  競艇センタ
３１  端末装置群
３２  発売所
３３  キャッシュレス端末装置
３４  自動機
３５  有人機
３６  ポイントサーバ操作パソコン
４０  競輪センタ
４１  端末装置群
５０  オートセンタ
５１  端末装置群
６０  ポイントサーバ
６１  通信部
６１ａ  センタ通信処理部
６１ｂ  端末通信処理部
６１ｃ  運用情報格納部
６２  ポイント管理部
６２ａ  資金制御部
６２ｂ  ポイントＤＢ
６２ｃ  ポイントデータテーブル
６３  会員管理部
６３ａ  会員制御部
６３ｂ  会員ＤＢ
６３ｃ  会員番号テーブル
７０  ネットワーク
１００  コンピュータ
１０１  ＣＰＵ
１０２  ＲＡＭ
１０３  ＨＤＤ
１０４  グラフィック処理装置
１０５  入力インタフェース
１０６  光学ドライブ装置
１０７  機器接続インタフェース
１０８  通信インタフェース
１０９  バス
１１０  モニタ
１１１  キーボード
１１２  マウス
１１３  光ディスク
１１４  メモリ装置
１１５  メモリリーダライタ
１１６  メモリカード
１２０  電文
１２０ａ  ヘッダ部
１２０ｂ  データ部
１３１  会員テーブル
１３２  会員番号テーブル
１３３  競馬会員番号テーブル
１３４  競艇会員番号テーブル
１３５  競輪会員番号テーブル
１３６  オート会員番号テーブル
１４０  アイドル画面
１４０ａ〜１４０ｄ  表示領域
１５０  投票操作画面
１５０ａ  表示領域
１５０ｂ  購入業種表示領域
１５０ｃ  購入場表示領域
１５０ｄ  購入レース表示領域
１５０ｅ  ポイント数表示領域
１５０ｆ  購入金額表示領域
１５０ｇ  口座残高表示領域
１５０ｈ  投票内容印字領域
１５０ｉ  履歴照会ボタン
【図１】
2019079571.tif 000003
【図２】
2019079571.tif 000004
【図３】
2019079571.tif 000005
【図４】
2019079571.tif 000006
【図５】
2019079571.tif 000007
【図６】
2019079571.tif 000008
【図７】
2019079571.tif 000009
【図８】
2019079571.tif 000010
【図９】
2019079571.tif 000011
【図１０】
2019079571.tif 000012
【図１１】
2019079571.tif 000013
【図１２】
2019079571.tif 000014
【図１３】
2019079571.tif 000015
【図１４】
2019079571.tif 000016
【図１５】
2019079571.tif 000017
【図１６】
2019079571.tif 000018
【図１７】
2019079571.tif 000019
【図１８】
2019079571.tif 000020
【図１９】
2019079571.tif 000021